(57)【要約】【課題】  多角電極ロールで水分測定する形態では、多角電極ロールの偏平面位置で穀粒を挾持圧砕して、水分測定を行うため、測定時の電極ロール間の間隙は一定であり、供給する穀粒が異なり、穀粒径が大、小に大きく変化するときは、穀粒の圧砕状態や、この電極ロール間における挾持圧の変化により、水分検出状態を大きく変えて、正確で安定した水分検出を維持し難い。【解決手段】  相対向して逆回転する一対の電極ロール１、２間に穀粒を繰込挾持しながら圧砕して、この電極ロール１、２間に生ずる電気抵抗値によって圧砕穀粒の水分値を検出可能に設け、このいずれか一側の電極ロール１の回転周面を、偏心回転面３、楕円形状回転面４、又は、複数段の異径円形状回転面５に形成して、供給穀粒の粒径に応じたロール間隙Ａ位置を選択可能に設けた。【選択図】  図１
2010256084.tif 000002
【特許請求の範囲】
【請求項１】
相対向して逆回転する一対の電極ロール（１）、（２）間の穀粒を繰込挾持しながら圧砕して、この電極ロール（１）、（２）間に生ずる電気抵抗値によって圧砕穀粒の水分値を検出可能に設け、このいずれか一側の電極ロール（１）の回転周面を、偏心回転面（３）、楕円形状回転面（４）、又は、複数段の異径円形状回転面（５）に形成して、供給穀粒の粒径に応じたロール間障（Ａ）位置を選択可能に設けたことを特徴とする穀粒水分センサ。
【発明の詳細な説明】
【技術分野】
【０００１】
この発明は、一対の電極ロール間で穀粒を挾持圧砕しながら、この穀粒の水分を検出する穀粒センサに関する。
【背景技術】
【０００２】
一対の八角ロールの回転により、ロール間に繰込穀粒を挾持圧砕して水分を検出する技術が知られている（例えば、特許文献１参照）。
【先行技術文献】
【特許文献】
【０００３】
【特許文献１】特開２００３−２９４６６４号公報（第１頁、図１０）。
【発明の開示】
【発明が解決しようとする課題】
【０００４】
この発明は、穀粒の種類や、粒径の大小に拘らず、電極ロールのロール間隙部への穀粒繰込性を良好にすると共に、穀粒の挾持圧砕を正確に行わせて、精度の高い穀粒水分を検出させるものである。前記引例の如き多角電極ロールでは、穀粒の繰込性は良好であるが、この水分測定時は、多角電極ロールの偏平面位置で穀粒を挾持圧砕して、水分測定を行うため、測定時の電極ロール間の間隙は一定であり、供給する穀粒が異なり、穀粒径が大、小に大きく変化するときは、穀粒の圧砕状態や、この電極ロール間における挾持圧の変化により、水分検出状態を大きく変えて、正確で安定した水分検出を維持し難い。
【課題を解決するための手段】
【０００５】
請求項１に記載の発明は、相対向して逆回転する一対の電極ロール１、２間に穀粒を繰込挾持しながら圧砕して、この電極ロール１、２間に生ずる電気抵抗値によって圧砕穀粒の水分値を検出可能に設け、このいずれか一側の電極ロール１の回転周面を、偏心回転面３、楕円形状回転面４、又は、複数段の異径円形状回転面５に形成して、供給穀粒の粒径に応じたロール間隙Ａ位置を選択可能に設けたことを特徴とする穀粒水分センサの構成とする。水分検出しようとする穀粒の種類、乃至粒径等を指定して、スタート位置の一対の電極ロール１、２間に穀粒を供給すると、前記スタート位置にある電極ロール１の繰込回転によって、供給された穀粒をロール間隙Ａ部へ繰込むと共に、この偏心回転面３、楕円形状回転面４、又は異径円形状回転面５を有した電極ロール１の指定のロール間隙Ａ位置への回転により、これら両電極ロール１、２間のロール間隙Ａ部に穀粒を挾持して圧砕し、この穀粒を圧砕挾持した状態でロール回転を停止すると共に、この挾持圧砕した穀粒における電極ロール１、２間の電気抵抗値を計測して、穀粒の水分値として検出処理する。この水分検出後は、これら電極ロール１、２の排出回転により、挾持していた穀粒を排出して、初期スタート位置に戻る。又、粒径の異なる穀粒の水分を検出するときは、これを変更、指定することにより、前記のようにこの変更後のロール間隙Ａ位置による水分検出作用を行わせることができる。このロール間隙Ａ位置の変更によって、前記偏心回転面３、楕円形状回転面４、又は異径円形状回転面５の位相位置が変るため、ロール間隙が広、狭に切換えられて、供給穀粒に適応したロール間隙Ａ位置において水分検出作用が行われる。
【発明の効果】
【０００６】
請求項１に記載の発明は、電極ロール１が偏心回転面３、楕円形状回転面４、又は異径円形状回転面５に形成されるため、粒径の異なる穀粒に適応したロール間隙Ａへの切換、及び穀粒の繰込や、排出等を円滑に行わせることができる。又、穀粒の水分検出作用が粒径に適応したロール間隙Ａにおいて行われるため、穀粒の挾持圧砕状態等を一定にして、正確で、精度のよい安定した水分検出を行うことができる。
【図面の簡単な説明】
【０００７】
【図１】偏心回転面を形成した電極ロールの側面図。
【図２】その一部別例を示す側面図。
【図３】楕円形状回転面を形成した電極ロールの側面図。
【図４】異径円形状回転面を形成した電極ロールの側面図。
【図５】水分センサの取付側面図。
【図６】穀粒乾燥機の操作盤の正面図。
【図７】乾燥制御装置一部のブロック図。
【図８】その穀粒水分測定制御のフローチャート。
【図９】その一部別例を示すフローチャート。
【図１０】穀粒乾燥槽部の正断面図と、乾燥機のブロック図。
【図１１】そのフローチャート。
【図１２】除塵装置例を示す正面図。
【図１３】その側面図。
【発明を実施するための最良の形態】
【０００８】
図面に基づいて、穀粒水分を検出する水分センサ６は、穀粒を乾燥する穀粒乾燥機に取付けて使用する。穀粒を収容する穀粒室から、熱風を通して加熱乾燥する乾燥室へ流下させるように、循環搬送しながら乾燥する循環形態の穀粒乾燥機であって、この穀粒を循環搬送するエレベータ７の搬送行程の途中箇所から、適数粒の穀粒を採取しながら水分の検出処理を行わせるものである。又、この乾燥機は、籾米だけではなく、麦や、大豆のような異種、異径の穀粒をも供給して乾燥することができる。
【０００９】
前記エレベータ７の昇穀途中位置に取付孔８を形成し、この取付穴８の外側部に水分センサ６を取付ける。この水分センサ６は、エレベータ７内にのぞむ穀粒受ホッパー９、及び繰込オーガ１０を有し、この繰込オーガ１０から取込む穀粒を受けて水分検出する一対の電極ロール１、２を軸支する。これら電極ロール１、２間から排出される圧砕穀粒を受けて、エレベータ７へ還元させる戻し口１１等を設ける。
【００１０】
又、乾燥機の運転操作のため、操作盤１２に、各種のスイッチＳＷ０〜ＳＷ１１や、表示窓１３、インジケータ１４、１５、１６及びモニタ１９、２０等を配置する。スイッチとしては、前記エレベータ７等を駆動して乾燥機に穀粒を張込むための張込スイッチＳＷ０や、ブロワー等を駆動して乾燥室等に通風したり排塵する通風スイッチＳＷ１、バーナや、乾燥室の繰出バルブ等を駆動して乾燥作用を行わせる乾燥スイッチＳＷ２、乾燥後の穀粒を機外へ排出するように搬送経路を切換える排出スイッチＳＷ３、乾燥、穀粒搬送等を停止する停止スイッチＳＷ４、乾燥機に供給する穀粒量や、乾燥する穀粒の種類等を設定する乾燥設定スイッチＳＷ６、穀粒水分値を設定する水分設定スイッチＳＷ７、乾燥機に張込むための穀粒量を設定するための張込量スイッチＳＷ８、乾燥時間等のタイマーを増減調節するタイマー設定スイッチＳＷ９、ＳＷ１０、及び緊急時に乾燥作用等を停止させるための緊急停止スイッチＳＷ１１等を配置している。又、前記インジケータ１４は、張込量スイッチＳＷ８による設定穀粒量を表示し、インジケータ１５は、水分設定スイッチＳＷ７により設定される水分値を表示し、又、インジケータ１６は、乾燥設定スイッチＳＷ６によって設定された穀粒の種類１８や、乾燥速度１７等を表示する。又、モニター１９は、乾燥機の作動箇所を表示するインジケータ２１や、異常表示するパイロットランプ２２等を配置し、モニター２０は、穀粒水分のばらつきや、未熟粒の混入量の多少等を表示することができる。
【００１１】
ここにおいて、水分センサ６は、相対向して逆回転する一対の電極ロール１、２間の穀粒を繰込挾持しながら圧砕して、この電極ロール１、２間に生ずる電気抵抗値によって圧砕穀粒の水分値を検出可能に設け、このいずれか一側の電極ロール１の回転周面を、偏心回転面３、楕円形状回転面４、又は、複数段の異径円形状回転面５に形成して、供給穀粒の粒径に応じたロール間隙Ａ位置を選択可能に設ける。水分検出しようとする穀粒の種類、乃至粒径等を指定して、一対の初期位置の電極ロール１、２間に穀粒を供給すると、前記初期位置にある電極ロール１の繰込回転によって、供給された穀粒をロール間隙部へ繰込むと共に、この偏心回転面３、楕円形状回転面４、又は異径円形状回転面５を有した電極ロール１の指定のロール間隙Ａ位置への回転により、これら両電極ロール１、２間の指定ロール間隙Ａ部に穀粒を挾持して圧砕し、この穀粒を圧砕した状態で回転をロール間隙Ａ位置に停止すると共に、この挾持圧砕した穀粒における電気抵抗値を計測して、穀粒の水分値として検出処理する。この水分検出の電極ロール１、２の排出回転により、挾持していた穀粒を排出して初期のスタート位置に戻る。又、粒径の異なる穀粒の水分を検出するときは、これを変更、指定することにより、前記のようにこの変更後のロール間隙Ａ位置による水分検出作用を行わせることができる。このロール間隙Ａ位置の変更によって、前記偏心回転面３、楕円形状回転面４、又は異径円形状回転面５の位相位置が変るため、ロール間隙Ａが広、狭に切換えられて、供給穀粒に適応したロール間隙Ａ位置において水分検出作用が行われる。
【００１２】
前記水分センサ６は、コントローラ２３からの出力によってギヤドモータ２４が駆動されると、駆動軸２５が回転されて、電極ロール２のロール軸２６と、電極ロール１のロール軸２７がギヤ噛合により互に逆方向へ回転される伝動構成としている。又、前記駆動軸２５から繰込オーガ軸２８を連動して、前記穀粒ホッパー９受けた穀粒を一粒毎取込搬送して、電極ロール１、２間の繰込口２９にのぞむ供給パイプ３０へ案内する。
【００１３】
前記、図１のように、偏心回転面３を有する電極ロール１にあっては、円形ロールを対向方向線ＸーＸ上に沿った偏心Ｈ位置のロール軸２６の周りに回転するように駆動回転することができる。この電極ロール１の回転位相位置によって、対向する心円回転面の電極ロール２外周面との間のロール間隙Ａ位置をＡ１、Ａ２（Ａ１＜Ａ２）のように異にする。Ａ１：籾粒の圧砕に適するロール間隙とし、Ａ２：大豆粒の圧砕に適するロール間隙とする。このような電極ロール１、２は、スタート位置Ｓに停止していて、水分検出スイッチ３１がＯＮされることによって、指定のロール間隙Ａ位置に繰込回転されて停止される。このロール間隙Ａ位置は、前記乾燥機の乾燥設定スイッチＳＷ６によって設定される穀粒の種類によって自動的に決められる。籾粒ではＡ１、大豆粒ではＡ２としてロール間隙位置に繰込回転されて停止される。このときの繰込回転によってロール間隙Ａ位置に繰込まれる一粒、又は数粒の穀粒が両電極ロール１、２間に挾持されて圧砕されると共に、この挾持状態を維持する。このとき、両電極ロール１、２間にわたって通電されるときの電気抵抗値を水分検出回路３２で測定することによって穀粒水分値を検出する。この水分値は表示窓１３に表示される。このような穀粒水分の検出が行われると、電極ロール１、２は停止位置から同方向へ排出回転されてスタート位置Ｓに戻って停止する。この排出回転によって水分値検出を受けた圧砕穀粒が、ロール間隙Ａから排出されて、戻し口１１からエレベータ７内へ還元される。
【００１４】
このような、ロール間隙Ａ位置は、偏心側の電極ロール１の偏心長径位相位置、又は偏心短径位相位置を、ロール軸２６、２７間方向線ＸーＸに沿った位置に設定することができる。又、このような偏心長径位相位置、又は短径位相位置以外の位相位置を選定して、穀粒の粒径に適応するロール間隙に設定することも可能である。
【００１５】
前記ロール間隙Ａの最大間隙Ａ２においては、大豆粒が漏下しないで、又、ロール間隙Ａが最小間隙Ａ１においては、籾粒が漏下しないで、しかも、これらの間隙Ａ２においては大豆を挾持圧砕し、間隙Ａ１においては籾粒を挾持圧砕することができるように間隙Ａ設定している。又、電極ロール１、２の水分作用行程の回転スタート位置Ｓは、前記ロール間隙の水分検出位置ＸーＸよりも適宜回転角度α手前の位置に設定して停止させ、穀粒水分を検出した後は、このスタート位置Ｓに回動して停止し、続く水分検出のタイミングを待機させるように構成する。
【００１６】
このような電極ロール１、２のスタート位置Ｓ、及びロール間隙Ａ位置での停止等は、この乾燥しようとする穀粒の種類を、乾燥設定スイッチＳＷ６より設定することによって決められる。
【００１７】
前記電極ロール１、２は、位置側の電極ロール１のみ偏心回転面３の形態としたが、図２のように他方の電極ロール２をも同様に偏心回転面に形成することも可能である。この形態では、各電極ロール１、２の偏心量を小さくすることができる。
【００１８】
又、このような電極ロール１、２のロール間隙Ａ位置の設定、制御は、図３のように回転周面を楕円形状回転面４の形態とすることもできる。この電極ロール１の長径位相位置を、ロール軸２６、２７間方向線ＸーＸに沿わせて、籾粒水分を検出可能にしたり、短径位相位置を、ロール軸２６、２７間方向線ＸーＸに沿わせて、大豆粒水分を検出可能にすることができる。
【００１９】
次に、図４のように、電極ロール１、２の回転周面を、異径円形状回転面５に形成することも可能で、この形態では、大径回転面Ｌをロール軸間の水分検出位置ＸーＸ上で対向させることによって籾粒水分検出用とすることができ中間径回転面Ｍをロール軸間の水分検出位置ＸーＸ上で対向させることによって中粒径の大豆水分検出用とし、又、小径回転面Ｎをロール軸間の水分検出位置ＸーＸ上で対向させることによって大粒径の大豆水分検出用として設定し、又は選択することができる。このような、異径円形状回転面５の各径回転面Ｌ、Ｍ、Ｎの切換えは、前記乾燥設定スイッチＳＷ６による穀粒種類の選定に伴って、スタート位置Ｓ、及び水分検出位置ＸーＸでの停止制御を行わせる形態とすることができる。又、図示のように電極ロール１、２の軸穴とロール軸２６、２７を六角形態としておき、これらロール軸２６、２７に対する電極ロール１、２の嵌合位相位置を差し変えることによって、穀粒の種類、粒径に応じたロール間隙Ａを選択可能の構成とすることも可能である。又、前記スタート位置Ｓは、これら選択された回転面と同一回転面Ｌ、Ｍ、Ｎの領域内において設定することができる。
【００２０】
穀粒乾燥機や、コンバイン、或は籾摺、精米、選別等の穀粒調整機等の穀粒処理装置での水分測定時に夾雑物や、塵埃混入による異常低水分データ除去数が多い場合、有効データ数が不足し、信頼性が良好なリアルタイム測定にならない。又、水分測定装置への塵埃堆積により水分測定電極の短絡の発生や、機械的固着などの発生により、安定した測定を維持できない。
【００２１】
そこで、図８、図９のように、前記のような測定水分測定電極対の近傍に塵埃量を検出する塵埃センサ３４を設けて、この塵埃センサ３４による検出塵埃量により、一時的に水分測定を中断すること、或は、信頼性不十分な測定値の算出を回避すべく除塵装置３５の除塵能力を増加制御等を実施することによって、水分測定装置の信頼性を向上し、穀粒処理装置による仕上品質を向上する。
【００２２】
又、前記塵埃センサ３４による検出値が所定値以上のときは水分測定不可と判断して、測定を中断する信号を発することができる（図９のサブルーチン）。
又、前記塵埃センア３４による検出値が所定値１より低く、所定値２以上のときは、塵埃量過多と判断し、水分測定装置を付設した穀粒処理装置の除塵装置３５を制御すべく信号を発する。
【００２３】
次に、主として図１０〜図１３に基づいて、前記循環形態の穀粒乾燥機における除塵装置に関するもので、乾燥中の単粒、もしくは複数粒水分測定を径時的に行い、所定粒数の平均値を演算し、乾燥の進行状態を評価する水分センサ６（測定装置）を有する穀粒乾燥制御において、この水分センサ６には塵埃センサ３４を設けて、検出塵量が所定値１よりも低く、所定値２以上であれば、循環形乾燥機３６の貯留部３７上方の空間部、もしくは上部搬送装置３８近傍に個別に作動可能な、夾雑物の大きさや、塵埃量に対応すべく除塵埃装置３５Ａ、３５Ｂを複数個設け、単独駆動、或は連動駆動可能な構成として、前記検出塵埃量のとき複数個の除塵装置３５を連動運転するものである。乾燥室３９の底部に繰出バルブ４０が設けられて、この繰出バルブ４０のモータ４１駆動によって、穀粒が流下されエレベータ７等を経て上昇循環搬送される。
【００２４】
又、前記乾燥制御において、水分センサ６による水分測定部には塵埃量を検出する塵埃センサ３４を設けて、この検出塵埃量が所定値１以上であれば、所定時間にわたる送風機４２駆動による通風乾燥を実行し、その後熱風乾燥に移行するように制御するものである（図１１、サブルーチン）。
【００２５】
又、前記検出塵埃量が所定値１以上である場合は、水分測定が不可と判断して、水分測定制御を中断する共に、タイマー運転乾燥制御に切り替えるように制御する。
【符号の説明】
【００２６】
１      電極ロール
２      電極ロール
３      偏心回転面
４      楕円形状回転面
５      異径円形状回転面
６      水分センサ
７      エレベータ
Ａ      ロール間隙
Ａ１    小（籾粒）間隙
Ａ２    大（大豆粒）間隙
Ｓ      スタート位置
【図１】
2010256084.tif 000003
【図２】
2010256084.tif 000004
【図３】
2010256084.tif 000005
【図４】
2010256084.tif 000006
【図５】
2010256084.tif 000007
【図６】
2010256084.tif 000008
【図７】
2010256084.tif 000009
【図８】
2010256084.tif 000010
【図９】
2010256084.tif 000011
【図１０】
2010256084.tif 000012
【図１１】
2010256084.tif 000013
【図１２】
2010256084.tif 000014
【図１３】
2010256084.tif 000015